(57)【要約】
【課題】
　本考案は、発光素子の点灯、高速点滅、間歇点滅のいずれかを選択することができる発光傘を提供する。
【解決手段】
　本考案の発光傘は、ロッド部１の先端に設けられ、透光性の材料で形成された石突４と、石突４の内部に設けられた発光素子５と、発光素子５と電線１ａを介して電気的に接続される電源７とを備え、発光素子５を長い間隔で点滅させる間歇点滅モード、発光素子を短い間隔で点滅させる高速点滅モード、発光素子を常時点灯させる点灯モード及び発光素子を消灯させる消灯モードに動作させる制御部９と、制御部９により行われる各モードの動作を切り換える押圧スイッチ１０とを有する。
【選択図】　図１
0003099925.tif 000002
【実用新案登録請求の範囲】
【請求項１】
　ロッド部の先端に設けられ、透光性の材料で形成された石突と、前記石突の内部に設けられた発光素子と、前記発光素子と電線を介して電気的に接続される電源とを備えた発光傘において、
　前記発光素子を長い間隔で点滅させる間歇点滅モード、前記発光素子を短い間隔で点滅させる高速点滅モード、前記発光素子を常時点灯させる点灯モード及び前記発光素子を消灯させる消灯モードに動作させる制御手段と、
　前記制御手段により行われる各モードの動作を切り換える切換手段と、
　を有することを特徴とする発光傘。
【請求項２】
　前記切換手段は、押圧する毎に前記各モードを順次切り換える押圧スイッチであることを特徴とする請求項１に記載の発光傘。
【請求項３】
　前記発光素子は、発光ダイオードであることを特徴とする請求項１又は２に記載の発光傘。
【考案の詳細な説明】
【技術分野】
【０００１】
　本考案は発光傘に関し、特に、石突の内部に発光素子を備えた発光傘に関する。
【背景技術】
【０００２】
　一般に、雨が降っている夜間時は昼間時に比べ視界が悪くなるため、例えば自動車等の運転手が、傘をさして歩道等を歩いている歩行者を確認しずらくなり、最悪の場合には交通事故の原因になる場合もあった。
【０００３】
　そこで、傘の先端部である石突の内部に発光ダイオード（ＬＥＤ）等の発光素子を備えた発光傘が、例えば、特開２００３−２０４８１５号公報に提案されている。
【０００４】
　この従来の発光傘は、傘のハンドル部に電池を内蔵させ、石突内の発光素子を点灯又は点滅させるように構成することにより、点灯又は点滅する光を遠方からでも容易に視覚することができるので、交通安全に役立つ。
【０００５】
【特許文献１】特開２００３−２０４８１５号公報
【考案の開示】
【考案が解決しようとする課題】
【０００６】
　しかし、従来の発光傘では、発光素子の点灯又は点滅のいずれかの動作だけ行われるものであった。また、点滅動作を行う発光傘では、点滅間隔の短い高速点滅と点滅間隔の長い間歇点滅を選択できるものは存在しなかった。
【０００７】
　本考案は、上記課題を解決するためになされたものであり、発光素子の点灯、高速点滅、間歇点滅のいずれかを選択することができる発光傘を提供することを目的とする。
【課題を解決するための手段】
【０００８】
　本考案の発光傘は、ロッド部の先端に設けられ、透光性の材料で形成された石突と、前記石突の内部に設けられた発光素子と、前記発光素子と電線を介して電気的に接続される電源とを備えた発光傘において、前記発光素子を長い間隔で点滅させる間歇点滅モード、前記発光素子を短い間隔で点滅させる高速点滅モード、前記発光素子を常時点灯させる点灯モード及び前記発光素子を消灯させる消灯モードに動作させる制御手段と、前記制御手段により行われる各モードの動作を切り換える切換手段とを有することを特徴とするものである。
【０００９】
　前記切換手段は、例えば押圧する毎に前記各モードを順次切り換える押圧スイッチである。
【００１０】
　前記発光素子は、例えば発光ダイオードである。
【考案の効果】
【００１１】
　本考案の発光傘によれば、石突内の発光素子の発光状態として、間歇点滅モード、高速点滅モード、点灯モードを適宜選択できるので、従来の発光傘に比べ、運転手等の第三者に対して注意や警告をより促すことができる。
【００１２】
　また、複数のモードを適宜選択できるので、電飾的な美感をもった装飾性のあるファッショナブルな発光傘を提供できる。
【考案を実施するための最良の形態】
【００１３】
　以下、本考案の実施の形態について図面を参照して説明する。
【実施例１】
【００１４】
　図１は、本考案の実施例に係る発光傘の構成を正面図、図２は、キャップ部を示す側面断面図、図３（Ａ）は本考案の実施例に係る発光傘の回路構成を示す説明図、（Ｂ）及び（Ｃ）は切換手段としての他のスイッチの例を示す説明図である。
【００１５】
　図１に示すように、本考案の実施例に係る発光傘は、中空の金属又は樹脂等で形成された傘軸となるロッド部１（柄）と、ロッド部１の先端に形成された支持部２と、支持部２に枢着された複数の傘骨（図示せず）に取り付けられた開閉可能なシート部３と、支持部２に設けられ、透光性の材料で形成された石突４と、石突４の内部に設けられた発光素子５と、ロッド部１の基端に設けられたハンドル部６と、ハンドル部６内に収納される電池等の電源７とを備えている。
【００１６】
　発光素子５は、例えば発光ダイオード（ＬＥＤ）が用いられるが、これに限定されるものではない。
【００１７】
　発光素子５は、ロッド部１内を貫通する電線１ａを介して電源７と電気的に接続されている。
【００１８】
　ハンドル部６内には、電源７となる電池を収納する電池収納部６ａが形成されている。また、ハンドル部６の基端部にはキャップ部８が着脱自在に取り付けられ、キャップ部８をハンドル部６から取り外すことにより、電源７となる電池の挿入や交換を行うことができる。図２に示すようにキャップ部８の先端部は断面略コ字状に形成され、その中央部には電源７を収納方向に付勢するためのスプリング８ａが取り付けられている。
【００１９】
　ハンドル部６内には制御部９及び押圧スイッチ１０（切換手段）が設けられている。図３（Ａ）に示すように、制御部９は、発光素子５を長い間隔で点滅させる間歇点滅モード、発光素子５を短い間隔で点滅させる高速点滅モード、発光素子５を常時点灯させる点灯モード及び発光素子５を消灯させる消灯モードに動作させる。押圧スイッチ１０は、制御部９により行われる各モードの動作を切り換える。
【００２０】
　押圧スイッチ１０は、押圧する毎に順次各モードを切り換えることができる。例えば、押圧スイッチ１０を押さない初期状態の場合には、消灯モードのままであり、押圧スイッチ１０を１回押すと、間歇点滅モードに切り換わり、さらに１回押すと、高速点滅モードに切り換わり、さらに１回押すと、点灯モードに切り換わり、さらに１回押すと消灯モードに戻り、以下これを繰り返す。押圧スイッチ１０を用いることにより片手で操作できるので、操作性が良好となる。
【００２１】
　なお、切り換わる各モードの順番はこれに限定されることはなく、任意に設定変更できる。
【００２２】
　また、押圧スイッチ１０の代わりに、図３（Ｂ）に示すように回転スライド式スイッチ１１を用いたり、図３（Ｃ）に示すように各モードに対応した押ボタン１２ａを備えたボタン式スイッチ１２を設けてもよい。
【００２３】
　本考案の実施例に係る発光傘によれば、石突４内の発光素子５の発光状態として、間歇点滅モード、高速点滅モード、点灯モードを適宜選択できるので、従来の発光傘に比べ、運転手等の第三者に対して注意や警告をより促すことができる。
【００２４】
　また、複数のモードを適宜選択できるので、電飾的な美感をもった装飾性のあるファッショナブルな発光傘を提供できる。
【００２５】
　本考案は、上記実施の形態に限定されることはなく、実用新案登録請求の範囲に記載された技術的事項の範囲内において、種々の変更が可能である。例えば、電源７として充電池を用いてもよい。また、本考案の発光傘は、通常の長傘の他に自動開閉傘、折り畳み傘等いかなる種類の傘にも適用可能である。
【産業上の利用可能性】
【００２６】
　石突４内の発光素子５の発光状態として、間歇点滅モード、高速点滅モード、点灯モードを適宜選択できるので、運転手等の第三者に対して注意や警告をより促すことができる発光傘として産業上利用できる。
【図面の簡単な説明】
【００２７】
【図１】本考案の実施例に係る発光傘の構成を正面図である。
【００２８】
【図２】キャップ部を示す側面断面図である。
【００２９】
【図３】（Ａ）は本考案の実施例に係る発光傘の回路構成を示す説明図、（Ｂ）及び（Ｃ）は切換手段としての他のスイッチの例を示す説明図である。
【符号の説明】
【００３０】
　１：ロッド部
　２：支持部
　３：シート部
　４：石突
　５：発光素子
　６：ハンドル部
　７：電源
　８：キャップ部
　９：制御部
１０：押圧スイッチ
１１：回転スライド式スイッチ
１２：ボタン式スイッチ
【図１】
0003099925.tif 000003
【図２】
0003099925.tif 000004
【図３】
0003099925.tif 000005